(57)【要約】【課題】比較的少ない部品で容易に取付作業を行うことができる上、外観上視認される構成部分のコンパクト化を図ること。【解決手段】バンパー等の被取付板１０に取付孔１１が形成される。エスカッション部材２０側の円板状の取付孔係止部２２を取付孔１１の周縁部に係合させた状態で、該エスカッション部材２０側の係合片２５を取付孔１１内に配設して、カメラ装置３０側の被係合突部３４に係合させる。リテーナ部材４０によりカメラ装置３０が被取付板１０の他方面側から離反する方向に付勢されている。【選択図】        図１
2005022496.tif 000002
【特許請求の範囲】
【請求項１】
取付孔が形成された車両の被取付部に、監視部品を取付けるための監視部品取付部構造であって、
前記取付孔の周縁部に前記被取付部の一方面側より係止可能な取付孔係止部と、係合部とを有する取付部材と、
前記取付孔係止部が前記取付孔の周縁部に係止した状態で、前記取付孔を通じて前記係合部と係合可能な被係合部を有する監視部品と、
前記監視部品を前記被取付部の他方面から離反する方向に付勢する付勢部材と、
を備えた、監視部品取付部構造。
【請求項２】
請求項１記載の監視部品取付部構造であって、
前記付勢部材は、弾性材料により形成され、前記監視部品の外周部から前記被取付部の他方面に向けて延びる複数の付勢脚部を有している、監視部品取付部構造。
【請求項３】
請求項１又は請求項２記載の監視部品取付部構造であって、
前記付勢部材は、前記監視部品のハウジングに一体化されている、監視部品取付部構造。
【請求項４】
請求項１又は請求項２記載の監視部品取付部構造であって、
前記付勢部材は、前記監視部品と前記被取付部の他方面との間に介在して、前記監視部品を付勢する、監視部品取付部構造。
【請求項５】
請求項１、請求項２又は請求項４記載の監視部品取付部構造であって、
前記係合部は、前記被係合部に対して非係合状態である原形非係合位置から前記被係合部と係合する弾性係合位置に向けて弾性変形可能に形成され、
前記監視部品に対して抜差し自在にスライド装着され、装着された状態で、前記係合部に当接してその係合部を前記弾性係合位置に移動した状態に保持する係合保持部材をさらに備えた、監視部品取付部構造。
【請求項６】
請求項５記載の監視部品取付部構造であって、
前記監視部品は、前記係合保持部材のうち前記係合部に当接する部分とは反対側から前記係合保持部材に当接するスライドガイド部をさらに備えた、監視部品取付部構造。
【請求項７】
請求項５又は請求項６記載の監視部品取付部構造であって、
前記付勢部材と前記係合保持部材とが一体化されている、監視部品取付部構造。
【請求項８】
請求項５〜請求項７のいずれかに記載の監視部品取付部構造であって、
前記係合保持部材にそのスライド装着方向と略直交する方向に持ち手部が形成された、監視部品取付部構造。
【請求項９】
請求項５〜請求項８のいずれかに記載の監視部品取付部構造であって、
前記係合保持部材に位置決部が形成されると共に、前記監視部品に、前記係合保持部材が装着された状態で、前記位置決部に係合する被位置決部が形成された、監視部品取付部構造。
【発明の詳細な説明】
【０００１】
【発明の属する技術分野】
この発明は、カメラ装置やセンサ等の監視部品を車両に取付けるための技術に関する。
【０００２】
【背景技術】
自動車のバンパーは、自動車の外観を装う外装部品であるため、該バンパーに部品取付用のねじボスを設けることは避けられている。これは、例えば、ねじボスをバンパーの内側に設けた場合であっても、バンパーの外側にいわゆる”ひけ”が生じてしまい、意匠性を損ってしまうからである。
【０００３】
このため、カメラ装置、ソナー等のセンサ類をバンパーに取付けるにあたっては、ねじをバンパー側に螺合させる必要のない構造を採用するのが一般的である。
【０００４】
この種の取付構造として、例えば、バンパーに形成された孔にエスカッションを挿入配置し、このエスカッション及びカメラ固定テープを用いて、バンパーの内側にアングルを固定し、さらに、該アングルにねじを用いてカメラ装置を固定した構成が考えられる。
【０００５】
また、他の取付構造として、バンパーに貫通した取付孔に、センサのうち大径な頭部部分を残して小径な挿入部分（本体部分）を挿入し、挿入部分に形成した係止溝に、固定具に形成した二股状の係止脚を挿入して、センサを固定する構造がある。
【０００６】
後者の取付構造に関しては、例えば、特許文献１に開示されている。
【０００７】
【特許文献１】
特開平１１−１３３１３６号公報
【０００８】
【発明が解決しようとする課題】
しかしながら、前者の取付構造では、多数の部品を必要とする上、取付作業性も悪く、コストアップの要因となる。
【０００９】
また、後者の取付構造では、取付孔の外側から取付対象部品の本体部分を挿入して頭部部分を取付孔の外周部外側に係止させる構成であるため、取付対象となる部品の本体部分が大きい場合には、バンパーに形成する取付孔を大きくする必要があるし、また、これに伴い取付対象部品の頭部部分も取付孔以上に大きくする必要がある。このため、外観上視認される取付構造が大型化し、意匠上好ましくない。
【００１０】
そこで、この発明の課題は、比較的少ない部品で容易に取付作業を行うことができる上、外観上視認される構成部分のコンパクト化を図ることが可能な技術を提供することにある。
【００１１】
【課題を解決するための手段】
上記課題を解決すべく、請求項１記載の発明は、取付孔が形成された車両の被取付部に、監視部品を取付けるための監視部品取付部構造であって、前記取付孔の周縁部に前記被取付部の一方面側より係止可能な取付孔係止部と、係合部とを有する取付部材と、前記取付孔係止部が前記取付孔の周縁部に係止した状態で、前記取付孔を通じて前記係合部と係合可能な被係合部を有する監視部品と、前記監視部品を前記被取付部の他方面から離反する方向に付勢する付勢部材と、を備えたものである。
【００１２】
請求項２記載の発明は、前記付勢部材は、弾性材料により形成され、前記監視部品の外周部から前記被取付部の他方面に向けて延びる複数の付勢脚部を有しているものである。
【００１３】
請求項３記載の発明は、前記付勢部材は、前記監視部品のハウジングに一体化されているものである。
【００１４】
請求項４記載の発明は、前記付勢部材は、前記監視部品と前記被取付部の他方面との間に介在して、前記監視部品を付勢するものである。
【００１５】
請求項５記載の発明は、前記係合部は、前記被係合部に対して非係合状態である原形非係合位置から前記被係合部と係合する弾性係合位置に向けて弾性変形可能に形成され、前記監視部品に対して抜差し自在にスライド装着され、装着された状態で、前記係合部に当接してその係合部を前記弾性係合位置に移動した状態に保持する係合保持部材をさらに備えたものである。
【００１６】
請求項６記載の発明は、前記監視部品は、前記係合保持部材のうち前記係合部に当接する部分とは反対側から前記係合保持部材に当接するスライドガイド部をさらに備えたものである。
【００１７】
請求項７記載の発明は、前記付勢部材と前記係合保持部材とが一体化されているものである。
【００１８】
請求項８記載の発明は、前記係合保持部材にそのスライド装着方向と略直交する方向に突出する持ち手部が形成されたものである。
【００１９】
請求項９記載の発明は、前記係合保持部材に位置決部が形成されると共に、前記監視部品に、前記係合保持部材が装着された状態で、前記位置決部に係合する被位置決部が形成されたものである。
【００２０】
【発明の実施の形態】
｛第１の実施の形態｝
以下、この発明の第１の実施の形態に係るカメラ取付部構造について説明する。
【００２１】
図１は第１の実施の形態に係るカメラ取付部構造を示す分解斜視図であり、図２は同カメラ取付部構造を示す斜視図であり、図３は同カメラ取付部構造を示す底面図である。
【００２２】
ここでは、車両のバンパー等の被取付板１０に、車両周辺を撮像するためのカメラ装置を取付ける構成について説明するが、対象物までの距離を測定する超音波センサ等、一部を外部に露出させた状態で取付けられる諸監視部品の取付に適用できる。
【００２３】
カメラ取付部構造は、取付部材としてのエスカッション部材２０と、監視部品としてのカメラ装置３０と、付勢部材としてのリテーナ部材４０とを備えており、略矩形状の取付孔１１が形成された被取付板１０に取付けられる。なお、各図では、被取付板１０の一部のみを図示している。
【００２４】
エスカッション部材２０は、樹脂等により形成された部材であり、円板状の取付孔係止部２２と、この取付孔係止部２２の一方面側に突設された係合部としての係合片２５とを備えている。
【００２５】
取付孔係止部２２は、取付孔１１よりも大きな広がりを持つ円板形状に形成されており、取付孔１１の周縁部に被取付板１０の一方面（例えば、バンパーの外側となる面）側より係止可能に構成されている。また、取付孔係止部２２の中央部には、カメラ装置３０の撮像面３９を挿入配置可能な孔部２２ｈが形成されている。カメラ装置３０の撮像面３９は、該孔部２２ｈを通じて外部に臨んで外部景色を撮像する。
【００２６】
この取付孔係止部２２の一方面（例えば、バンパー側を指向する面）であって、上記取付孔１１の周縁部と対応する位置に、一対の係合片２５及び一対の突片２４が突設されている。そして、取付孔係止部２２を取付孔１１の周縁部に係止させた状態で、各突片２４，２５が取付孔１１の周縁部に当接し、被取付板１０の面方向における取付孔係止部２２の位置決めが図られる。
【００２７】
また、上記係合片２５は、撓み変形可能な弾性片状に形成されており、その先端部に後述する被係合突部３４と係合可能な係合孔部２６が形成されている。
【００２８】
カメラ装置３０は、カメラ本体部３１と、撮像レンズ部３２と、被係合部としての被係合突部３４とを備えている。
【００２９】
カメラ本体部３１は、筺状に形成されており、その内部にＣＣＤ素子や所定の撮像回路等を内蔵している。
【００３０】
撮像レンズ部３２は、カメラ本体部３１の正面側に突設された略筒状部材であり、内部に適宜配列でレンズを保持している。
【００３１】
被係合突部３４は、撮像レンズ部３２の両側部に突出形成された凸状部材であり、撮像レンズ部３２の前方に向けて順次内向き傾斜する傾斜面を有している。
【００３２】
なお、本実施の形態では、カメラ本体部３１のハウジング及び撮像レンズ部３２のハウジング及び被係合突部３４は、樹脂等により一体形成されている。
【００３３】
そして、上記エスカッション部材２０の一対の係合片２５を、取付孔１１内に挿入配置した状態で、撮像レンズ部３２を一対の係合片２５の後方から押込むようにして当該一対の係合片２５間に配設することで、各被係合突部３４が各係合片２５の係合孔部２６に嵌まり込んで係合するようになっている。
【００３４】
リテーナ部材４０は、鋼材や樹脂等の弾性材料により形成されて、カメラ装置３０を被取付板１０の他方面（例えば、バンパーの内側となる面）から離反する方向に付勢する部材であり、基板部４２と基板部４２の４隅に形成された付勢脚部４４とを備えている。
【００３５】
基板部４２は、カメラ本体部３１の背面よりも大きな広がりを持つ略方形板状に形成されており、当該カメラ本体部３１の背面にねじ止等により固定される。
【００３６】
各付勢脚部４４は、基板部４２の各隅部からその一方面側に向けて外向きに徐々に広がるようにして延設されており、その各付勢脚部の先端部は、さらに、外方に向けて屈曲されている。
【００３７】
そして、基板部４２をカメラ本体部３１の背面に固定した状態で、各付勢脚部４４をカメラ本体部３１の外側に広げるように弾性変形させつつ、各付勢脚部４４の先端部をカメラ本体部３１の外側で被取付板１０の他方面に当接させると、各付勢脚部４４が原形に復帰しようとする弾性力により、カメラ装置３０が被取付板１０から離反する方向に付勢されることになる。
【００３８】
このように構成されたカメラ取付部構造の組立手順について説明する。
【００３９】
まず、カメラ装置３０の背面に、リテーナ部材４０の基板部４２を取付けておく。
【００４０】
そして、エスカッション部材２０の一対の係合片２５及び一対の突片２４を、被取付板１０の一方面側から取付孔１１内に挿入し、これら一対の係合片２５及び一対の突片２４を、被取付板１０の他方面側に突出させる。これに合わせて、カメラ装置３０の撮像レンズ部３２を、被取付板１０の他方面側から一対の係合片２５間に押込む。この際、各付勢脚部４４の先端部が、被取付板１０の他方面に当接するので、この付勢脚部４４の弾性力に抗してカメラ装置３０を押込む。すると、まず、カメラ装置３０側の各被係合突部３４の傾斜面が各係合片２５の先端部に摺接して、一対の係合片２５が押広げられる。そして、さらにカメラ装置３０を押込んで、各被係合突部３４が各係合片２５の係合孔部２６に達した時点で、一対の係合片２５が原形に復帰すると共に、各被係合突部３４が各係合孔部２６に嵌まり込んで係合される。この状態では、取付孔係止部２２が取付孔１１の周縁部に被取付板１０の一方面側より係止した状態で、各付勢脚部４４により、カメラ装置３０が被取付板１０の他方面側から離反する方向に付勢される。これにより、カメラ装置３０の取付作業が終了する。
【００４１】
以上のように構成されたカメラ取付部構造によると、エスカッション部材２０の取付孔係止部２２を取付孔１１の周縁部に係止させると共に、エスカッション部材２０の各係合片２５の係合孔部２６とカメラ装置３０側の各被係合突部３４とを係合させることで、カメラ装置３０を取付けることができるため、比較的少ない部品で容易に取付作業を行うことができる。
【００４２】
特に、リテーナ部材４０によりカメラ装置３０が被取付板１０の他方面側から離反する方向に付勢されているため、該カメラ装置３０をがたつきなく取付けることができる。
【００４３】
しかも、取付作業を行う際に、カメラ装置３０のカメラ本体部３１を取付孔１１に挿通させる必要はないので、取付孔１１を該カメラ本体部３１が通過できない程度の比較的小さな大きさに形成することができ、また、これに合わせて、エスカッション部材２０の取付孔係止部２２を比較的小さくすることができる。従って、外観上視認される構成部分のコンパクト化を図ることができる。
【００４４】
また、複数の付勢脚部４４の付勢力によって、カメラ装置３０が付勢されるため、異なる形状の被取付板１０に容易に対応できる。
【００４５】
図４（ａ）は、第１の実施の形態に係るカメラ取付部構造の第１変形例を示す斜視図であり、図４（ｂ）は第１変形例で用いられるリテーナ部材を示す斜視図である。
【００４６】
この第１変形例では、上記リテーナ部材４０に代えて、次の構成のリテーナ部材４０Ｂを用いてる。
【００４７】
すなわち、このリテーナ部材４０Ｂは、鋼材或は樹脂等の弾性材により形成され、カメラ装置３０と被取付板１０の他方面側との間に介在してカメラ装置３０を付勢する部材であり、基板部４２Ｂと付勢脚部４４Ｂとを備えている。
【００４８】
基板部４２Ｂは、撮像レンズ部３２を挿入配置可能な孔部４２Ｂｈが形成された方形枠状の部材であり、カメラ本体部３１の前面の外周囲に当接可能に形成されている。
【００４９】
また、この基板部４２Ｂの各隅部からその一方面側に向けて外方に広がるようにして付勢脚部４４Ｂが延設されている。
【００５０】
そして、上記第１の実施の形態と同様態様にて、エスカッション部材２０とカメラ装置３０とを取付けると、各付勢脚部４４Ｂが外方に広がるように弾性変形した状態で、各付勢脚部４４Ｂの先端部が被取付板１０の他方面に当接することにより、各付勢脚部４４Ｂの弾性復元力により、カメラ装置３０が被取付板１０の他方面側から離反する方向に付勢されることとなる。
【００５１】
この第１変形例では、リテーナ部材４０Ｂを、カメラ装置３０と被取付板１０の他方面との間に介在させているため、上記第１の実施の形態のように、リテーナ部材４０Ｂをカメラ装置３０に対してねじ等で固定する必要がなく、リテーナ部材４０Ｂの一部分である基板部４２Ｂをカメラ本体部３１の前面に当接させるだけで済む。このため、該リテーナ部材４０Ｂとカメラ装置３０とを固定する構成を簡易化或は省略することができる。
【００５２】
図５は第１の実施の形態に係るカメラ取付部構造の第２変形例を示す斜視図である。
【００５３】
この第２変形例では、上記リテーナ部材４０に代えて、カメラ装置３０に一体化されたリテーナ部材４０Ｃを用いている。
【００５４】
すなわち、このリテーナ部材４０Ｂは、カメラ装置３０のハウジングに一体化された複数（ここでは４つ））の付勢脚部４４Ｃを備えている。各付勢脚部４４Ｃは、カメラ本体部３１のハウジング前面の４隅からその前方に向けて外方に広がるようにして延設されている。
【００５５】
そして、上記第１の実施の形態と同様態様にて、エスカッション部材２０とカメラ装置３０とを取付けると、各付勢脚部４４Ｃが外方に広がるように弾性変形した状態で、各付勢脚部４４Ｃの先端部が被取付板１０の他方面に当接することにより、各付勢脚部４４Ｃの弾性復元力により、カメラ装置３０が被取付板１０の他方面側から離反する方向に付勢されることとなる。
【００５６】
この第２変形例では、リテーナ部材４０Ｃがカメラ装置３０に一体形成されているため、部品点数をより少なくすることができる。
【００５７】
｛第２の実施の形態｝
この発明の第２の実施の形態に係るカメラ取付部構造について説明する。なお、
本実施の形態の説明において、上記第１の実施の形態において説明したものと同様構成要素については、同一符号を付してその説明を省略する。
【００５８】
図６はカメラ取付部構造を示す分解斜視図であり、図７は同カメラ取付部構造を示す斜視図である。なお、図７では、被取付板１１は省略されている。
【００５９】
このカメラ取付部構造は、上記第１の実施の形態と同様に、カメラ装置１３０を上述した被取付板１０に取付けるための構造であり、取付部材としてのエスカッション部材１２０と、監視部品としてのカメラ装置１３０と、付勢部材及び係合保持部材としての機能を有する係合保持リテーナ部材１４０とを備えている。
【００６０】
エスカッション部材１２０は、図６，図７及び図９に示すように、樹脂等により形成された部材であり、取付孔係止部２２と、複数の係合片１２５と、一対の突片１２４とを備えている。
【００６１】
各係合片１２５は、取付孔係止部２２の一方面側に延設された弾性片１２６の先端部に、内向きに突出する突部１２７が形成されてなる。本実施の形態では、取付孔１１の上辺及び下辺に対応して、それぞれ２つの係合片１２５が形成されている。各係合片１２５は、外方に傾いた原形非係合位置から取付孔係止部２２に対して略垂直に延びる弾性係合位置に向けて弾性変形可能に形成されている。前記原形非係合位置では、突部１２７は後述する被係合凹部１３４に対して非係合状態となり、前記弾性係合位置では当該被係合凹部１３４に対して係合状態となる。
【００６２】
カメラ装置１３０は、図６〜図９に示すように、カメラ本体部３１と、撮像レンズ部１３２と、被係合部として被係合凹部１３４と、スライドガイド部１３６とを備えている。
【００６３】
撮像レンズ部１３２は、上記撮像レンズ部３２と同様に適宜配列にてレンズを保持している。ここでは、撮像レンズ部１３２のハウジングの外観形状は、扁平な略直方体形状を呈している。
【００６４】
この撮像レンズ部１３２の外周部であって上記各突部１２７と対応する位置に、それぞれ被係合凹部１３４が形成されている。本実施の形態では、撮像レンズ部１３２の上面及び下面の基端部に、それぞれ２つの被係合凹部１３４が形成されている。そして、上記エスカッション部材１２０の各係合片１２５を、取付孔１１内に挿入配置した状態で、各係合片１２５と原形非係合位置から弾性係合位置に向けて弾性変形することで、各突部１２７が対応する各被係合凹部１３４に係合する。
【００６５】
スライドガイド部１３６は、カメラ本体部３１と撮像レンズ部１３２の間部分の外周囲から外方に向けて延びる略方形板状に形成されている。
【００６６】
スライドガイド部１３６の外周部の上下縁部に沿って、各保持アーム部１４４の外側の上下辺に摺接可能なガイド片１３７が突出形成されている。この上側のガイド片１３７と撮像レンズ部１３２の上面間、及び、下側のガイド片１３７と撮像レンズ部１３２の下面間とに、それぞれ各保持アーム部１４４をスライド挿入可能な所定幅のスライドガイド溝部１３８が形成されている。各ガイド片１３７は、各保持アーム部１４４の外側の辺に摺接して、それらが外側に拡開しないように保持する機能をも有している。
【００６７】
また、各スライドガイド溝部１３８の底部の長手方向中間部には、保持アーム部１４４のスライド挿入方向と直交する方向に沿って、位置決溝部１３９が形成されている。
【００６８】
係合保持リテーナ部材１４０は、図６，図７，図９及び図１０に示すように、樹脂或は金属等により形成された部材であり、連結部１４２の両端部に一対の保持アーム部１４４が略平行姿勢で延設された略Ｕ字状の形状を有している。
【００６９】
一対の保持アーム部１４４は、上記スライドガイド溝部１３８にスライド挿入可能な細長板状に形成されており、それらの間に撮像レンズ部１３２の上下幅寸法に対応する間隔寸法をあけた姿勢で保持されている。そして、一対の保持アーム部１４４を各スライドガイド溝部１３８内にスライド挿入した状態で、各保持アーム部１４４の内側の辺が、各係合片１２５に当接し、これにより各係合片１２５を前記弾性係合位置に保持するようになっている。
【００７０】
また、各保持アーム部１４４の先端部内側の辺には、その先端側に向けて適宜拡開する斜辺部１４４ａが形成されている。そして、各保持アーム部１４４を各スライドガイド溝部１３８にスライド挿入する途中で、各斜辺部１４４ａが順次に各係合片１２５に摺接し、該各係合片１２５を原形非係合位置から弾性係合位置に弾性変形させるようになっている。
【００７１】
さらに、各保持アーム部１４４には、それらのスライド挿入方向と直交する方向に知って位置決突条部１４５が形成されている。そして、各保持アーム部１４４を各スライドガイド溝部１３８内に奥まで挿入すると、各位置決突条部１４５が各位置決溝部１３９に係合する。これにより、各保持アーム部１４４の挿入完了の確認及びその抜止めが図られるようになっている。
【００７２】
また、この係合保持リテーナ部材１４０に、そのスライド装着方向と略直交する方向に突出する持ち手部１４３が形成されている。ここでは、持ち手部１４３は、連結部１４２の一側部を曲げ起した形状とされている。この持ち手部１４３を掴んで、係合保持リテーナ部材１４０のスライド装着及び取外しを行えるようになっている。
【００７３】
さらに、この係合保持リテーナ部材１４０には、カメラ装置１３０を被取付板１０から離反する方向に付勢する付勢部材である付勢脚部１４６が一体化された構成とされている。
【００７４】
より具体的には、一対の保持アーム部１４４の両端部近傍であって被取付板１０と対向する面に、付勢脚部１４６が４つ形成されている。各付勢脚部１４６は、被取付板１０側に向けて外方に徐々に広がるようにして延設されている。
【００７５】
そして、係合保持リテーナ部材１４０を装着した状態で、各付勢脚部１４６を外側に広げるように弾性変形させつつ、各付勢脚部１４６の先端部を被取付板１０の他方面に当接させることで、各付勢脚部１４６が原形に復帰しようとする弾性力により、カメラ装置１３０が被取付板１０の他方面から離反する方向に付勢されることになる。なお、この付勢力は、カメラ装置１３０側では、スライドガイド部１３６にて受止められる。
【００７６】
このように構成されたカメラ取付部構造の組立手順について説明する。
【００７７】
まず、エスカッション部材１２０の各係合片１２５及び一対の突片１２４を、被取付板１０の一方面側から取付孔１１内に挿入し、これら各係合片１２５及び一対の突片１２４を、被取付板１０の他方面側に突出させる。そして、カメラ装置１３０の撮像レンズ部１３２を各係合片１２５及び一対の突片１２４で囲まれた空間内に配設し、その撮像レンズ部１３２の前面を取付孔係止部２２に押付けるようにする（図１１に被取付板１０を省略した斜視図を図示）。
【００７８】
この状態で、例えば、組立作業者が持ち手部１４３を掴んで、各付勢脚部１４６の先端部を被取付板１０の他方面に押付けてそれらを弾性変形させつつ、撮像レンズ部１３２及び各係合片１２５を挟むようにして、係合保持リテーナ部材１４０の一対の保持アーム部１４４を対応する各スライドガイド溝部１３８内にスライド挿入する。各保持アーム部１４４を対応する各スライドガイド溝部１３８内にスライド挿入する途中で、各斜辺部１４４ａが順次各係合片１２５に摺接し、該各係合片１２５を原形非係合位置から弾性係合位置に弾性変形させる。これにより、各係合片１２５の突部１２７が該被係合凹部１３４に係合する。
【００７９】
そして、各位置決突条部１４５が各位置決溝部１３９に係合するまで、各保持アーム部１４４を奥まで挿入すると、組立作業が終了する。この状態では、上記第１の実施の形態と同様に、取付孔係止部２２が取付孔１１の周縁部に被取付板１０の一方面側より係止した状態で、各付勢脚部１４６により、カメラ装置１３０が被取付板１０の他方面側から離反する方向に付勢される。
【００８０】
また、カメラ装置１３０を取外す際には、例えば、作業者が持ち手部１４３を掴んで、係合保持リテーナ部材１４０の一対の保持アーム部１４４を各スライドガイド溝部１３８から引抜く。これにより、各係合片１２５が弾性係合位置から原形非係合位置に復帰し、各係合片１２５の突部１２７と該被係合凹部１３４との係合が解除され、或は、解除可能な状態となり、カメラ装置１３０を取外し可能な状態となる。
【００８１】
このように構成されたカメラ取付部構造によると、上記第１の実施の形態で述べたのと同様の効果を得ることができる。
【００８２】
加えて、係合保持リテーナ部材１４０の一対の保持アーム部１４４により、各係合片１２５の突部１２７と該被係合凹部１３４との係合状態がより確実に保持され、より強固な取付部構造を得ることができる。
【００８３】
しかも、各ガイド片１３７が、各保持アーム部１４４の外側の辺に当接して、それらが外側に拡開しないように保持しているため、この点からも、各係合片１２５の突部１２７と該被係合凹部１３４との係合状態がより確実に保持されることとなる。
【００８４】
また、係合保持リテーナ部材１４０を側方に引抜くように取外すことで、係合片１２５の突部１２７と該被係合凹部１３４との係合状態が容易に解除され、カメラ装置１３０の取外しを容易に行うことができるという利点もある。
【００８５】
さらに、係合保持リテーナ部材１４０には、カメラ装置１３０を被取付板１０から離反する方向に付勢する付勢部材である付勢脚部１４６が一体化されているため、別途付勢用の部材を取付ける必要がなく、取付作業がより容易となる。なお、上記第１の実施の形態において説明したリテーナ部材４０と同様の部材を用いてもよい。
【００８６】
また、係合保持リテーナ部材１４０に持ち手部１４３が形成されているため、作業者側において当該持ち手部を掴んで、容易に係合保持リテーナ部材１４０の抜差しを行えるという利点がある。
【００８７】
さらに、係合保持リテーナ部材１４０側に位置決突条部１４５が形成されると共に、カメラ装置１３０側の各スライドガイド溝部１３８に各位置決溝部１３９が形成されているため、係合保持リテーナ部材１４０の挿入完了の確認及びその抜止めを図ることができる。
【００８８】
【発明の効果】
以上のように、この発明の請求項１記載の監視部品取付部構造によると、取付部材の取付孔係止部を取付孔の周縁部に係止させると共に、その係合部と監視部品側の被係合部とを係合させ、さらに、付勢部材により監視部品を被取付部の他方面より離反する方向に付勢することで、監視部品を取付けることができるため、比較的少ない部品で容易に取付作業を行うことができる。
【００８９】
また、取付作業を行う際に、監視部品の本体部分を取付孔に挿通させる必要はないので、取付孔を比較的小さくし、これに合わせて取付部材を比較的小さくすることができ、外観上視認される構成部分のコンパクト化を図ることができる。
【００９０】
また、請求項２記載の発明によれば、複数の付勢脚部の弾性力により、監視部品が被取付部の他方面から離反する方向に付勢されるため、異なる形状の被取付部に容易に対応できる。
【００９１】
さらに、請求項３記載の発明によれば、部品点数をより少なくすることができる。
【００９２】
また、請求項４記載の発明によれば、付勢部材は、監視部品と被取付部の他方面との間に介在配置されるため、付勢部材と監視部品とを固定する構成を簡易化或は省略することができる。
【００９３】
請求項５記載の発明によれば、係合保持部材を装着することで、係合部と被係合部との係合状態がより確実に保持される。また、係合保持部材を取外すことで、係合部と被係合部との係合状態が容易に解除される。
【００９４】
請求項６記載の発明によれば、係合部と被係合部との係合状態がより確実に保持される。
【００９５】
請求項７記載の発明によれば、係合保持部材を装着することで、付勢部材により、監視部品を被取付部の他方面から離反する方向に付勢することができ、取付作業がより容易となる。
【００９６】
請求項８記載の発明によれば、持ち手部を掴んで係合保持部材の抜差しを容易に行うことができる。
【００９７】
請求項９記載の発明によれば、位置決部と被位置決部とが係合することで、係合保持部材の挿入完了確認を行うことができると共に、抜止め防止を図ることができる。
【図面の簡単な説明】
【図１】この発明の第１の実施の形態に係るカメラ取付部構造を示す分解斜視図である。
【図２】同上のカメラ取付部構造を示す斜視図である。
【図３】同上のカメラ取付部構造を示す底面図である。
【図４】図４（ａ）は第１変形例に係るカメラ取付部構造を示す斜視図であり、図４（ｂ）は同カメラ取付部構造で用いられるリテーナ部材を示す斜視図である。
【図５】第２変形例に係るカメラ取付部構造を示す斜視図である。
【図６】第２の実施の形態に係るカメラ取付部構造を示す分解斜視図である。
【図７】同上のカメラ取付部構造を示す斜視図である。
【図８】カメラ装置を示す斜視図である。
【図９】カメラ装置及びエスカッション部材を示す断面図である。
【図１０】係合保持リテーナ部材を示す斜視図である。
【図１１】カメラ取付部構造の組立途中を示す斜視図である。
【符号の説明】
１０  被取付板
１１  取付孔
２０  エスカッション部材
２２  取付孔係止部
２５  係合片
２６  係合孔部
３０  カメラ装置
３４  被係合突部
４０，４０Ｂ，４０Ｃ  リテーナ部材
４４，４４Ｂ，４４Ｃ  付勢脚部
１２０  エスカッション部材
１２５  係合片
１３０  カメラ装置
１３４  被係合凹部
１３６  スライドガイド部
１３７  ガイド片
１３８  スライドガイド溝部
１３９  位置決溝部
１４０  係合保持リテーナ部材
１４４  保持アーム部
１４５  位置決突条部
１４６  付勢脚部
【図１】
2005022496.tif 000003
【図２】
2005022496.tif 000004
【図３】
2005022496.tif 000005
【図４】
2005022496.tif 000006
【図５】
2005022496.tif 000007
【図６】
2005022496.tif 000008
【図７】
2005022496.tif 000009
【図８】
2005022496.tif 000010
【図９】
2005022496.tif 000011
【図１０】
2005022496.tif 000012
【図１１】
2005022496.tif 000013